(57)【要約】【課題】２本の紐で吊られた昇降部材の姿勢が崩れ難く、崩れたときには元の姿勢に早く復帰することができる空気調和装置の室内機を提供する。【解決手段】室内機２では、鉛直投影面が長方形を成すフラットパネル４が、第１吊り紐７１１及び第２吊り紐７１２によって本体２０から吊られている。第１吊り紐７１１は、フラットパネル４の第１辺４０１の近傍にある第１吊り点を吊り、第２吊り紐７１２は、第１辺４０１の対辺である第２辺４０２の近傍にある第２吊り点を吊っている。フラットパネル４の重心を通る鉛直線Ｇと交差し且つ第１吊り点と第２吊り点とを通過する２点通過線Ｆが、第１辺４０１と第２辺４０２と直交しないように、第１吊り点及び第２吊り点の位置が設定されている。【選択図】図１０
2009063189.tif 000002
【特許請求の範囲】
【請求項１】
本体（２０）と、
鉛直投影面が長方形或は正方形を成し、第１吊り紐（７１１）及び第２吊り紐（７１２）によって前記本体（２０）から吊られる昇降部材（４）と、
前記第１吊り紐（７１１）及び前記第２吊り紐（７１２）の繰り出し及び巻き取りを行なう昇降手段（７）と、
を備え、
前記第１吊り紐（７１１）は、前記昇降部材（４）の一辺を成す第１辺（４０１）の近傍にある第１吊り点を吊り、
前記第２吊り紐（７１２）は、前記第１辺（４０１）の対辺である第２辺（４０２）の近傍にある第２吊り点を吊り、
前記昇降部材（４）の重心を通る鉛直線と交差し且つ前記第１吊り点と前記第２吊り点とを通過する２点通過線が、前記第１辺（４０１）と前記第２辺（４０２）と直交しないように、前記第１吊り点及び前記第２吊り点の位置が設定されている、
空気調和装置の室内機（２）。
【請求項２】
前記第１吊り点は、前記第１辺（４０１）の近傍から隆起する第１リブ（４１１）に形成された第１吊り孔（４１１ａ）に含まれ、
前記第２吊り点は、前記第２辺（４０２）の近傍から隆起する第２リブ（４１２）に形成された第２吊り孔（４１２ａ）に含まれ、
前記２点通過線は、前記第１リブ（４１１）及び前記第２リブ（４１２）の長手方向とは直交しない、
請求項１に記載の空気調和装置の室内機（２）。
【請求項３】
前記第１吊り紐（７１１）の先端には、前記第１吊り孔（４１１ａ）に掛かる第１フック（７１１ａ）が設けられ、
前記第２吊り紐（７１２）の先端には、前記第２吊り孔（４１２ａ）に掛かる第２フック（７１２ａ）が設けられている、
請求項２に記載の空気調和装置の室内機（２）。
【発明の詳細な説明】
【技術分野】
【０００１】
本発明は、空気調和装置の室内機に関し、特に、下面に設けられた吸い込み開口をパネルで塞ぐ室内機に関する。
【背景技術】
【０００２】
従来、天井設置型の室内機として、化粧パネルの中央開口を昇降可能なセンターパネル又は吸い込みグリルで塞ぐ室内機が広く知られている（例えば、特許文献１参照）。特許文献１に記載の室内機では、吸い込みグリルは２本の紐で吊られており、その吸い込みグリルは、メンテナンス時には手動によって引き降ろされ、メンテナンス終了後は昇降装置によって紐が巻き取られて上昇する。
【特許文献１】特開平１０−３３２１７２号公報
【発明の開示】
【発明が解決しようとする課題】
【０００３】
上記のような室内機では、吸い込みグリルが２本の紐で吊られているだけであり、昇降装置が吸い込みグリルを上昇させるときに、吸い込みグリルの姿勢が崩れ易く、吸い込み開口に到達しても正確に塞ぐことができない可能性がある。
【０００４】
本発明の課題は、２本の紐で吊られた昇降部材の姿勢が崩れ難く、崩れたときには元の姿勢に早く復帰することができる空気調和装置の室内機を提供することにある。
【課題を解決するための手段】
【０００５】
第１発明に係る空気調和装置の室内機は、本体と、昇降部材と、昇降手段とを備えている。昇降部材は、鉛直投影面が長方形或は正方形を成し、第１吊り紐及び第２吊り紐によって本体から吊られる。昇降手段は、第１吊り紐及び第２吊り紐の繰り出し及び巻き取りを行なう。第１吊り紐は、昇降部材の一辺を成す第１辺の近傍にある第１吊り点を吊り、第２吊り紐は、第１辺の対辺である第２辺の近傍にある第２吊り点を吊る。昇降部材の重心を通る鉛直線と交差し且つ第１吊り点と第２吊り点とを通過する２点通過線が、第１辺と第２辺と直交しないように、第１吊り点及び第２吊り点の位置が設定されている。
【０００６】
この室内機では、２点通過線が第１辺及び第２辺と直交しないように設定されることによって、第１辺及び第２辺と直交する場合と比べて、昇降時の水平姿勢が崩れ難くなる。さらに、水平姿勢が崩れたときの復帰も早くなる。
【０００７】
第２発明に係る空気調和装置の室内機は、第１発明に係る空気調和装置の室内機であって、第１吊り点が、第１辺の近傍から隆起する第１リブに形成された第１吊り孔に含まれ、第２吊り点が、第２辺の近傍から隆起する第２リブに形成された第２吊り孔に含まれる。２点通過線は、第１リブ及び第２リブの長手方向とは直交しない。
【０００８】
この室内機では、２点通過線が第１リブ及び第２リブと直交しないように設定されることによって、第１リブ及び第２リブと直交する場合と比べて、昇降時の水平姿勢が崩れ難くなる。
【０００９】
第３発明に係る空気調和装置の室内機は、第２発明に係る空気調和装置の室内機であって、第１吊り紐の先端には、第１吊り孔に掛かる第１フックが設けられ、第２吊り紐の先端には、第２吊り孔に掛かる第２フックが設けられている。
【００１０】
この室内機では、第１フックが第１吊り孔に掛かり、第２フックが第２吊り孔に掛かるようにすることによって、第１フック及び第２フックを用いない場合と比べて、昇降時の水平姿勢が崩れ難くなる。
【発明の効果】
【００１１】
第１発明に係る空気調和装置の室内機では、２点通過線が第１辺及び第２辺と直交しないように設定されることによって、第１辺及び第２辺と直交する場合と比べて、昇降時の水平姿勢が崩れ難くなる。さらに、水平姿勢が崩れたときの復帰も早くなる。
【００１２】
第２発明に係る空気調和装置の室内機では、２点通過線が第１リブ及び第２リブと直交しないように設定されることによって、第１リブ及び第２リブと直交する場合と比べて、昇降時の水平姿勢が崩れ難くなる。
【００１３】
第３発明に係る空気調和装置の室内機では、第１フックが第１吊り孔に掛かり、第２フックが第２吊り孔に掛かるようにすることによって、第１フック及び第２フックを用いない場合と比べて、昇降時の水平姿勢が崩れ難くなる。
【発明を実施するための最良の形態】
【００１４】
以下図面を参照しながら、本発明の実施形態について説明する。なお、以下の実施形態は、本発明の具体例であって、本発明の技術的範囲を限定するものではない。
【００１５】
＜室内機＞
図１（ａ）は、本発明の一実施形態に係る室内機の運転停止時の斜視図であり、図１（ｂ）は、同室内機の運転時の斜視図である。図１（ａ），（ｂ）において、空気調和装置の室内機２は、下面に吸い込み開口２１及び吹出口２２を有する本体２０、吸い込み開口２１を開閉するフラットパネル４、及び吸い込み開口２１から吸込まれた空気に含まれる塵埃を除去するフィルタ６を備えている。吸い込み開口２１と吹出口２２とは隣接しており、吸い込み開口２１の面積は、吹出口２２よりも大きく、本体２０下面の相当範囲を占有している。
【００１６】
（フラットパネル４）
フラットパネル４は、吸い込み開口２１全域を塞ぐことができる大きさであり、本体２０側から延びる２本の紐７１で吊り上げられている。２本の紐７１は、フラットパネル４の長手方向の両端部を支持し、図１（ｂ）において手前側の端部を吊り上げる紐７１は、吹出口２２から離れた第１端部４ａ近傍に接続され、図１（ｂ）において奥側の端部を吊り上げる紐７１は、吹出口２２に近い第２端部４ｂ近傍に接続されている。
【００１７】
運転時、フラットパネル４は降下して吸い込み開口２１を開けるが、降下する量が第１端部４ａと第２端部４ｂとでは異なり、第１端部４ａが第２端部４ｂよりも大きく降下するので、フラットパネル４は天井面に対して傾斜するように回動して、吸い込み開口２１を開く。
【００１８】
（フィルタ６）
図２は、フィルタの斜視図である。図２において、フィルタエレメント６ｃは、周囲をフレーム６ａで保持されている。また、フレーム６ａの対向する長辺同士は、補強アーム６ｂで繋がっており、長辺の撓みが抑制されている。
【００１９】
平織または、綾織のフィルタエレメント６ｃは、ポリエチレンテレフタレート製の繊維（以後、ＰＥＴ繊維と呼ぶ）をプリーツ織りした網状部材であり、折り山の形状を保護するため、補強アーム６ｂは、フィルタエレメント６ｃの折り山に合わせた形状に成形されている。
【００２０】
フィルタエレメント６ｃの繊維を細くすることによって、フィルタ６の塵埃を除去する性能を低下させずに通風抵抗を下げることができるが、繊維の折り目を維持する強度が弱くなるので、上記の補強アーム６ｂが、折り山を維持する機能を兼ねている。また、繊維の折り目を維持する強度が高まるように、材質や径の異なる繊維を、ＰＥＴ繊維同士の間に入れて織り込んでもよい。
【００２１】
図３は、本発明の一実施形態に係る室内機のメンテナンス時の斜視図である。図３において、フラットパネル４は、フィルタ６を載せた状態で降下および上昇することができ、ユーザーは、天井を見上げることなくフィルタ６を取り外して清掃することができる。
【００２２】
フラットパネル４を吊り上げる紐７１は、昇降ユニット７に接続されている。この昇降ユニット７が紐７１を繰り出すことによって、フラットパネル４が降下し、紐７１を巻き取ることによって、フラットパネル４が上昇する。
【００２３】
なお、便宜上、メンテナンス時に、ユーザーが台などに登ることなくフラットパネル４からフィルタ６を脱着することできる位置をメンテナンス位置と呼ぶ。また、運転時にフラットパネル４が吸い込み開口２１を開いた位置を開位置と呼び、運転停止時にフラットパネル４が吸い込み開口２１を閉じた位置を閉位置と呼ぶ。
【００２４】
（昇降ユニット７）
図４は、昇降ユニット内部の正面図である。図４において、昇降ユニット７は、紐７１以外に、滑車７２、巻取り歯車７３、駆動歯車７４、モータ７５およびスイッチ７６を備えている。
【００２５】
滑車７２は、滑車部７２ａとカム部７２ｂとが一体に成形されており、滑車部７２ａは、紐７１を支え、紐７１の移動に伴って回転する。カム部７２ｂは、小径曲面と大径曲面とそれら両曲面を結ぶ平面とから成る。
【００２６】
巻取り歯車７３は、紐７１を巻取るボビン７３ａと歯車部７３ｂとが一体に成形されている。駆動歯車７４は、巻取り歯車７３の歯車部７３ｂと噛み合い、ボビン７３ａを回転させる。
【００２７】
モータ７５は、ステッピングモータであり駆動歯車７４を回転させる。モータ７５の回転数は、制御部１０から供給されるパルス数によって制御される。なお、制御部１０は、ＣＰＵ、メモリ及びモータドライブ回路を搭載しており、昇降ユニット７から離れた他の位置に配置されている。モータ７５と制御部１０はワイヤハーネスによって電気的に接続されている。
【００２８】
スイッチ７６は、レバー７６ａを有するマイクロスイッチであり、レバー７６ａが押されることによってオンする。レバー７６ａは、常に滑車７２のカム部７２ｂと接触しており、カム部７２ｂの大径曲面と対峙したときに押される。スイッチ７６も、制御部１０とワイヤハーネスによって電気的に接続されている。
【００２９】
（昇降ユニット７の動作）
図４において、昇降ユニット７が紐７１を繰り出す場合、モータ７５は駆動歯車７４をＣＷ方向へ回転させる。これによって、巻取り歯車７３は、紐７１を繰り出す方向に回転する。一方、昇降ユニット７が紐７１を巻き取る場合、モータ７５は駆動歯車７４をＣＣＷ方向へ回転させる。これによって、巻取り歯車７３は、紐７１を巻き取る方向に回転する。紐の繰り出し量および巻き取り量は、モータ７５の回転量に比例しており、制御部１０が、モータ７５へ供給するパルス数を制御することによって、紐７１の繰り出し量および巻き取り量が制御される。
【００３０】
紐７１の先端にはフラットパネル４が連結されているため、紐７１には常に張力が発生しており、紐７１が繰り出されるとき、又は紐７１が巻き取られるとき、滑車部７２ａが紐７１との摩擦力によって回転する。このとき、カム部７２ｂも回転するので、スイッチ７６は、レバー７６ａがカム部７２ｂの大径曲面と対峙したときにオン信号を発し、小径曲面と対峙したときにはオフ信号を発する。滑車７２が回転している間は、オン信号とオフ信号が交互に発生し、これらの信号は、すべて制御部１０に入力される。
【００３１】
しかし、何らかの要因で紐７１が弛み張力がなくなった場合、例えば、メンテナンスのために紐７１を繰り出してフラットパネル４を降下させているときに、所定の繰り出し量に達する前に、フラットパネル４がテーブルなどの上に着地して停止した場合には、紐７１と滑車部７２ａとの摩擦力が減退し滑車７２が停止する。このため、スイッチ７６からは、オン信号又はオフ信号のいずれか一方が連続的に出力される。このとき、制御部１０では、モータ７５が回転しているときにスイッチ７６からの信号が一定になっていることから、フラットパネル４が何らかの障害物によって停止したと推定し、直ちにモータ７５を停止させる。
【００３２】
（パネル支持手段８とフィルタ支持状態切替え手段９）
図５は、図１（ａ）の室内機の内部を上方から視たときの部分斜視図である。図５において、フラットパネル４には、リブ４１と軸受４２とが設けられている。リブ４１には孔４１ａと溝４１ｂとが形成されており、孔４１ａには紐７１の先端が連結される。軸受４２は、長孔となるように成形されている。
【００３３】
フィルタ６のフレーム６ａは第２フレーム６１に固定され、第２フレーム６１はフラットパネル４に脱着可能に支持される。第２フレーム６１の端部には、矢印Ｂの方向に摺動可能なスライド部材６２が収納されている。スライド部材６２は傾斜部６２ａ、突起部６２ｂ及び係止部６２ｃを有している。図５では、スライド部材６２の突起部６２ｂが、リブ４１の溝４１ｂに嵌まり込んでいるので、フィルタ６はフラットパネル４に支持された状態である。
【００３４】
フラットパネル４の上方には、駆動ユニット５０、軸４３及び押しカム６３が設置されている。駆動ユニット５０は、軸４３及び押しカム６３を矢印Ａの方向へ移動させることができる。このとき、軸４３は軸受４２に差し込まれ、フラットパネル４が軸４３に回転可能に支持される。この一連の動作が連結動作であり、軸受４２、軸４３および駆動ユニット５０は、パネル支持手段８となる。
【００３５】
軸４３が軸受４２へ差し込まれると同時に、押しカム６３は、スライド部材６２の傾斜部６２ａを押しながら、第２フレーム６１に差し込まれる。このとき、突起部６２ｂが溝４１ｂから外れ、係止部６２ｃが本体２０に架かる。その結果、フラットパネル４に支持されていたフィルタ６が、本体２０に支持されるようになる。この一連の動作が切替え動作であり、スライド部材６２、押しカム６３及び駆動ユニット５０は、フィルタ支持状態切替え手段９となる。
【００３６】
（駆動ユニット５０）
図６は、駆動ユニットの内部を示す断面図である。図６において、駆動ユニット５０は、ケース５１、モータ５２、ピニオンギア５３、ラック５４及びクランクシャフト５５を備えている。ケース５１の内部は、第１区画５１１、第２区画５１２及び第３区画５１３の３つの区画に仕切られている。モータ５２はステッピングモータであり、回転数は制御部１０から供給されるパルス数によって制御される。モータ５２は、第１区画５１１に収納されているが、回転軸は第２区画５１２にある。
【００３７】
ピニオンギア５３とラック５４とは、互いに噛み合った状態で第２区画５１２に収納されている。ピニオンギア５３は、モータ５２の回転軸に連結されているので、モータ５２の回転によってピニオンギア５３が回転し、ラック５４が滑り移動する。
【００３８】
クランクシャフト５５は、１つの回転中心軸５５ａと、３つのクランク軸５５１，５５２，５５３とを有している。回転中心軸５５ａは第３区画５１３に支持され、第１クランク軸５５１はラック５４に連結されている。さらに、第２クランク軸５５２は軸４３に連結され、第３クランク軸５５３は押しカム６３に連結されている。
【００３９】
（駆動ユニット５０の動作）
図６において、モータ５２がピニオンギア５３をＣ方向へ回転させると、ラック５４がＤ方向へ滑り移動する。このとき、ラック５４に連結されている第１クランク軸５５１もＤ方向に移動するので、クランクシャフト５５は、回転中心軸５５ａを中心にＥ方向へ回転する。その結果、第２クランク軸５５２が軸４３を矢印Ａの方向へ押し出し、第３クランク軸５５３が押しカム６３を矢印Ａの方向へ押し出す。
【００４０】
（スライド部材６２）
図７は、第２フレーム及びスライド部材の斜視図である。図７において、スライド部材６２は傾斜部６２ａ、突起部６２ｂ、係止部６２ｃ及び四角孔６２ｄを有している。四角孔６２ｄの一方の端部には、第２フレーム６１の停止板６１ａが入りこみ、さらにこの停止板６１ａと四角孔６２ｄの他方の端部との間にスプリング６４が配置される。傾斜部６２ａが押しカム６３（図５参照）に押されて、スライド部材６２が矢印Ｂの方向に移動するときは、スプリング６４を圧縮しながら移動するので、スライド部材６２は、矢印Ｂとは反対方向の抗力を受ける。
【００４１】
（スライド部材６２の動作）
図８は、図５の軸および押しカムを移動させた状態の斜視図である。図８において、押しカム６３が、スライド部材６２の傾斜部６２ａを押すことによって、スライド部材６２に矢印Ｂ方向の力が作用し移動する。この移動によって、突起部６２ｂが溝４１ｂから外れ、フラットパネル４のフィルタ６に対する支持が解除される。同時に、係止部６２ｃが突出して本体２０に架かるので、フィルタ６は本体２０に支持された状態となる。
【００４２】
（運転時のフラットパネル４の動作）
図９は、図８のフラットパネルを開いた状態の斜視図である。図９において、紐７１が繰り出されると、フラットパネル４は、自重によって降下する。軸受４２は、長孔に成形されているので、軸受４２に軸４３が差し込まれた状態であっても、軸受４２と軸４３との間には鉛直方向のクリアランスが存在する。その結果、フラットパネル４の第２端部４ｂは、軸受４２と軸４３との鉛直方向のクリアランス分だけ降下して停止する。その後は、フラットパネル４の第１端部４ａが、軸４３を中心に回転しながら所定距離だけ降下し、吸い込み開口２１を開状態にする。なお、軸４３には、フラットパネル４が軸方向へ移動することを規制するため、軸４３より大きい直径の円柱から成る規制部４３ａが形成されている。
【００４３】
一方、上記の開状態から、紐７１を巻き取ると、第１端部４ａは軸４３を中心に吸い込み開口２１を閉じる方向に回転し、第１端部４ａと第２端部４ｂとが同じ高さになったときに、フラットパネル４は、ほぼ水平となり、その後、第１端部４ａ及び第２端部４ｂは、共に、軸受４２と軸４３のクリアランス分だけ上昇し、吸い込み開口２１を閉じる。
【００４４】
フラットパネル４が軸４３を中心に回動して吸い込み開口２１を開ける動作は、室内機２が運転を開始するときであり、このとき、フィルタ６は、スライド部材６２の係止部６２ｃが本体２０に架かっているので、フラットパネル４の動作に追従しない。
【００４５】
（メンテナンス時のフラットパネル４の動作）
フィルタ６の清掃などのメンテナンスを行なうときは、図５の状態から紐７１を繰り出す。図５の状態は、突起部６２ｂが溝４１ｂに嵌まり込んでおり、フィルタ６がフラットパネル４に連結されている状態であり、フラットパネル４とフィルタ６とは一緒に降下することができる。また、軸受４２に軸４３が差し込まれていないので、フラットパネル４は、回動することなく、水平に降下することができる。
【００４６】
（フラットパネル４の姿勢維持方法）
本実施形態では、フラットパネル４を２点で吊って水平姿勢を維持している。ここでは、フラットパネル４の吊り方について詳細を説明する。
【００４７】
図１０は、フラットパネルの斜視図である。図１０において、フラットパネル４は、２つの昇降ユニット７によって吊られている。便宜上、フラットパネル４の短辺の一方を第１辺４０１、第１辺４０１側のリブ４１を第１リブ４１１、第１リブ４１１に形成された孔４１ａを第１吊り孔４１１ａ、第１辺４０１側の昇降ユニット７を第１昇降ユニット７０１、第１昇降ユニット７０１に調節される紐７１を第１吊り紐７１１とする。第１吊り紐７１１の先端には第１フック７１１ａが連結されており、この第１フック７１１ａが第１吊り孔４１１ａに掛けられることによって、第１吊り紐７１１と第１リブ４１１との接続が完了する。
【００４８】
また、第１辺４０１と反対側の辺を第２辺４０２、第２辺４０２側のリブ４１を第２リブ４１２、第２リブ４１２に形成された孔４１ａを第２吊り孔４１２ａ、第２辺４０２側の昇降ユニット７を第２昇降ユニット７０２、第２昇降ユニット７０２に調節される紐７１を第２吊り紐７１２とする。第２吊り紐７１２の先端には第２フック７１２ａが連結されており、この第２フック７１２ａが第２吊り孔４１２ａに掛けられることによって、第２吊り紐７１２と第２リブ４１２との接続が完了する。
【００４９】
第１吊り孔４１１ａの中心と、第２吊り孔４１２ａの中心とを通過する架空線が２点通過線Ｆであり、フラットパネル４の重心を通る鉛直線Ｇと交差している。２点通過線Ｆは、フラットパネル４を２つの領域に分割し、それら２つの領域それぞれの重心は、２点通過線Ｆに対して平衡しているので、停止状態において、フラットパネル４は、２点吊りで水平姿勢を維持することができる。
【００５０】
また、本実施形態では、２点通過線Ｆが第１辺４０１及び第２辺４０２と直交しないように、第１吊り孔４１１ａの中心点と、第２吊り孔４１２ａの中心点とが位置調節されている。なぜなら、そうすることによって、フラットパネル４の昇降時の姿勢が崩れ難くいことが、実験によって検証されているからである。
【００５１】
図１１は、フラットパネル昇降時の経過時間と２点通過線に作用するトルクとの関係を表したグラフである。図１１において、横軸は昇降時の経過時間を示し、縦軸は２点通過線Ｆに作用するトルクを示している。点線で示された曲線は、２点通過線Ｆが第１辺４０１及び第２辺４０２と直交するフラットパネル４で測定した結果であり、実線で示された曲線は、２点通過線Ｆが第１辺４０１及び第２辺４０２と直交しないフラットパネル４で測定した結果である。
【００５２】
図１１に示す通り、２点通過線Ｆが第１辺４０１及び第２辺４０２と直交しないフラットパネル４は、昇降を開始してから平衡を崩すまでの時間が長いことから、水平姿勢を維持し易いことが分かる。
【００５３】
２点通過線Ｆが第１辺４０１及び第２辺４０２と直交しないフラットパネル４が、なぜ水平姿勢を維持し易いのか、その原理は明らかではないが、仮説を立てたることができたので、その仮説について説明する。
【００５４】
（フラットパネル４の２点吊り平衡原理の第１仮説）
フラットパネル４が２点で吊られている場合、２点通過線Ｆで分割される２つの領域それぞれに作用する重力が２点通過線Ｆに対して平衡していなければ、停止状態において水平姿勢を維持することができない。実際の設計では、フラットパネル４は、前後、左右、及び上下方向に非対称であるため、それぞれの重量が等しくても、鉛直投影面積は異なる。
【００５５】
例えば、フラットパネル４で、２点通過線Ｆが第１辺４０１及び第２辺４０２と直交するように設定した場合、重量が等しく鉛直投影面積が異なる２つの長方形に分割される。この状態でフラットパネル４を昇降させた場合、２点通過線Ｆで分割される２つの領域に、それぞれの鉛直投影面積に応じた空気抵抗が作用するため、フラットパネル４は水平姿勢を維持できなくなる。つまり、昇降時の水平姿勢は、２つの領域それぞれの鉛直投影面積の差が小さいほど崩れ難く、且つ水平復帰も早くなる。
【００５６】
したがって、２点通過線Ｆで分割される２つの領域それぞれの面積を均衡させるために、２点通過線Ｆが第１辺４０１及び第２辺４０２と直交しないように、第１吊り孔４１１ａ及び第２吊り孔４１２ａが設定される必要がある。
【００５７】
（フラットパネル４の２点吊り平衡原理の第２仮説）
上記の第１仮説は、フラットパネル４が前後、左右、及び上下方向に非対称な形状の場合にのみ成立する。しかし、実際には、フラットパネル４が前後、左右、及び上下方向に対称な形状の場合であっても、２点通過線Ｆが第１辺４０１及び第２辺４０２と直交しない様に設定することによって、昇降時の水平姿勢が崩れ難く且つ水平復帰も早くなることが確認されている。
【００５８】
そこで、フラットパネル４が前後、左右、及び上下方向に対称な形状の場合の平衡原理についても仮説を立てたので、以下、図面を用いて説明する。
【００５９】
図１２は、前後、左右、及び上下方向に対称な直方体を成すフラットパネルの平面図である。図１２において、ポイントＧ１〜Ｇ４及びポイントｇ１〜ｇ４それぞれは、２点通過線Ｆ１〜Ｆ４で分割される２つの領域それぞれの重心である。そして、２点通過線Ｆ１だけが、第１辺４０１及び第２辺４０２と直交している。
【００６０】
ポイントＧ２〜Ｇ４及びポイントｇ２〜ｇ４それぞれから対応する２点通過線Ｆ２〜Ｆ４へ引いた垂線の距離は、２点通過線Ｆ２〜Ｆ４と２点通過線Ｆ１との相対角度が大きくなるほど大きくなっており、言い換えると、２点通過線に沿って２つの領域それぞれの重心位置を視たとき、その重心位置は、２点通過線Ｆ２〜Ｆ４と２点通過線Ｆ１との相対角度が大きくなるほど、２点通過線から離れていくことがわかる。
【００６１】
２点通過線を天秤の中心と考えた場合に、２つの領域それぞれの重心が天秤の両端に相当する。経験的に長い天秤の方が短い天秤よりもバランスが取り易いことを考えれば、２つの領域それぞれの重心が２点通過線から離れているほど、水平姿勢を維持し易いと推定される。
【００６２】
以上のことから、フラットパネル４が前後、左右、及び上下方向に対称な形状の場合であっても、２点通過線Ｆが第１辺４０１及び第２辺４０２と直交しないように、第１吊り孔４１１ａ及び第２吊り孔４１２ａが設定される必要がある。
【００６３】
（フラットパネル４の２点吊り平衡を可能にするその他の要因）
第１リブ４１１、第２リブ４１２、第１フック７１１ａ，及び第２フック７１２ａの存在は、フラットパネル４の昇降時の水平姿勢を維持することを、さらに容易にしている。第１リブ４１１及び第２リブ４１２は、一定の厚みを有しており、第１吊り孔４１１ａは、第１リブ４１１の厚み方向に貫通し、第２吊り孔４１２ａは、第２リブ４１２の厚み方向に貫通している。したがって、第１リブ４１１は、その厚み分を第１吊り紐７１１で保持され、その厚み方向が２点通過線Ｆと一致しないため、厚み方向が２点通過線Ｆと一致する場合に比べて、２点通過線Ｆ周りに回転するときの抵抗が増える。同様に、第２リブ４１２は、その厚み分を第２吊り紐７１２で保持され、その厚み方向が２点通過線Ｆと一致しないため、厚み方向が２点通過線Ｆと一致する場合に比べて、２点通過線Ｆ周りに回転するときの抵抗が増える。
【００６４】
つまり、２点通過線Ｆ周りに回転することが阻止されるので、フラットパネル４の水平姿勢が維持され易くなる。特に、第１吊り孔４１１ａに第１フック７１１ａが掛けられ、第２吊り孔４１２ａに第２フック７１２ａが掛けられている場合は、第１リブ４１１と第１フック７１１ａとの摩擦力と、第２リブ４１２と第２フック７１２ａとの摩擦力がさらに作用するので、２点通過線Ｆ周りに回転するときの抵抗が増加し、フラットパネル４の水平姿勢が崩れ難くなる。
【００６５】
＜特徴＞
（１）
室内機２では、鉛直投影面が長方形を成すフラットパネル４が、第１吊り紐７１１及び第２吊り紐７１２によって本体２０から吊られている。第１吊り紐７１１は、フラットパネル４の第１辺４０１の近傍にある第１吊り点を吊り、第２吊り紐７１２は、第１辺４０１の対辺である第２辺４０２の近傍にある第２吊り点を吊っている。フラットパネル４の重心を通る鉛直線Ｇと交差し且つ第１吊り点と第２吊り点とを通過する２点通過線Ｆは、第１辺４０１と第２辺４０２と直交しないように、第１吊り点及び第２吊り点の位置が設定されている。その結果、第１辺４０１及び第２辺４０２と直交する場合と比べて、フラットパネル４の昇降時の水平姿勢が崩れ難くい。さらに、水平姿勢が崩れたときの復帰も早くなる。
【００６６】
（２）
室内機２では、第１吊り点が、第１辺４０１の近傍から隆起する第１リブ４１１に形成された第１吊り孔４１１ａに含まれ、第２吊り点が、第２辺４０２の近傍から隆起する第２リブ４１２に形成された第２吊り孔４１２ａに含まれる。２点通過線Ｆは、第１リブ４１１及び第２リブ４１２の長手方向とは直交しない。その結果、第１リブ４１１及び第２リブ４１２と直交する場合と比べて、フラットパネル４の昇降時の水平姿勢が崩れ難くい。
【００６７】
（３）
室内機２では、第１吊り紐７１１の先端に、第１吊り孔４１１ａに掛かる第１フック７１１ａが設けられ、第２吊り紐７１２の先端に、第２吊り孔４１２ａに掛かる第２フック７１２ａが設けられている。その結果、第１フック７１１ａ及び第２フック７１２ａを用いない場合に比べて、フラットパネル４の昇降時の水平姿勢が崩れ難くなる。
【産業上の利用可能性】
【００６８】
以上のように、本発明によれば、２点吊りでもフラットパネルの安定した姿勢を維持することができるので、フラットパネルを２点吊りで昇降させるタイプの空気調和装置の室内機に有用である。
【図面の簡単な説明】
【００６９】
【図１】（ａ）本発明の一実施形態に係る室内機の運転停止時の斜視図。（ｂ）同室内機の運転時の斜視図。
【図２】フィルタの斜視図。
【図３】本発明の一実施形態に係る室内機のメンテナンス時の斜視図。
【図４】昇降ユニット内部の正面図。
【図５】図１（ａ）の室内機の内部を上方から視たときの部分斜視図。
【図６】駆動ユニットの内部を示す断面図。
【図７】第２フレーム及びスライド部材の斜視図。
【図８】図５の軸および押しカムを移動させた状態の斜視図。
【図９】図８のフラットパネルを開いた状態の斜視図。
【図１０】フラットパネルの斜視図
【図１１】フラットパネル昇降時の経過時間と２点通過線周りに作用するトルクとの関係を表したグラフ。
【図１２】前後、左右、及び上下方向に対称な直方体を成すフラットパネルの平面図。
【符号の説明】
【００７０】
２  室内機
４  フラットパネル（昇降部材）
７  昇降ユニット（昇降手段）
２０  本体
４０１  第１辺
４０２  第２辺
４１１  第１リブ
４１１ａ  第１吊り孔
４１２  第２リブ
４１２ａ  第２吊り孔
７１１  第１吊り紐
７１１ａ  第１フック
７１２  第２吊り紐
７１２ａ  第２フック
【図１】
2009063189.tif 000003
【図２】
2009063189.tif 000004
【図３】
2009063189.tif 000005
【図４】
2009063189.tif 000006
【図５】
2009063189.tif 000007
【図６】
2009063189.tif 000008
【図７】
2009063189.tif 000009
【図８】
2009063189.tif 000010
【図９】
2009063189.tif 000011
【図１０】
2009063189.tif 000012
【図１１】
2009063189.tif 000013
【図１２】
2009063189.tif 000014